(57)【特許請求の範囲】
【請求項１】
下記を具備する、ＣＤＭＡ通信システムにおいて、ＣＢＳメッセージを受信するための方法：
第１メッセージを受信する、ここで、前記第１メッセージは、カプセル化されたブロードキャストＳＭＳメッセージを有し、前記ブロードキャストＳＭＳメッセージはカプセル化された前記ＣＢＳメッセージを有する；
前記第１メッセージの指定されたフィールドまたはサブフィールドを処理し、前記ブロードキャストＳＭＳメッセージがカプセル化されたＣＢＳメッセージを有するものであるかまたはＣＤＭＡブロードキャストＳＭＳメッセージであるかを決定する；および
前記ＣＢＳメッセージが前記第１メッセージ内でカプセル化されるならば、前記第１メッセージから前記ＣＢＳメッセージを回復する。
【請求項２】
前記指定されたフィールドは、前記第１メッセージのアドレス長フィールドであり、前記ＣＢＳメッセージとＣＤＭＡブロードキャストＳＭＳメッセージは、前記アドレス長フィールドのための異なる値により区別される、請求項１の方法。
【請求項３】
前記ＣＢＳメッセージのヘッダー部分は前記第１メッセージのアドレスフィールドで運ばれる、請求項２の方法。
【請求項４】
前記指定されたサブフィールドは、前記第１メッセージのアドレスフィールド内のブロードキャストタイプサブフィールドであり、前記ＣＢＳメッセージとＣＤＭＡブロードキャストＳＭＳメッセージは、前記ブロードキャストタイプサブフィールドのための異なる値により区別される、請求項１の方法。
【請求項５】
前記指定されたフィールドは、前記第１メッセージのバーストタイプフィールドであり、前記ＣＢＳメッセージとＣＤＭＡブロードキャストＳＭＳメッセージは、前記バーストタイプフィールドのための異なる値により区別される請求項１の方法。
【請求項６】
前記指定されたフィールドは、前記第１メッセージのアドレスフィールドのための言語フィールドであり、前記ＣＢＳメッセージとＣＤＭＡブロードキャストＳＭＳメッセージは、前記言語フィールドのための異なる範囲の値によって区別される、請求項１の方法。
【請求項７】
前記ＣＢＳメッセージの一部のヘッダー部分は、前記第１メッセージの前記アドレスフィールドで運ばれる、請求項６の方法。
【請求項８】
前記ＣＢＳメッセージのシリアル番号、メッセージ識別子、およびページパラメータは、前記第１メッセージの前記アドレスフィールドで運ばれる。
【請求項９】
前記第１メッセージは、前記ＣＤＭＡシステム内のデータバーストメッセージである、請求項１の方法。
【請求項１０】
前記ＣＢＳメッセージはＳＭＳ配信メッセージ内にカプセル化され、さらにＳＭＳブロードキャストメッセージ内にカプセル化され、次に、データバーストメッセージ内にカプセル化される、請求項９の方法。
【請求項１１】
前記ＳＭＳ配信メッセージのメッセージ符号化フィールドは、前記ＳＭＳ配信メッセージで運ばれている前記ＣＢＳメッセージを示す値を含む、請求項１０の方法。
【請求項１２】
前記ＳＭＳブロードキャストメッセージのサービスカテゴリーパラメータは、前記ＳＭＳブロードキャストメッセージで運ばれている前記ＣＢＳメッセージを示す値を含む、請求項１０の方法。
【請求項１３】
前記ＣＤＭＡシステムは、ｃｄｍａ２０００システムである、請求項１の方法。
【請求項１４】
ＣＤＭＡ通信システムで送信するためにＣＢＳメッセージを処理するための方法：
ＣＢＳメッセージをＳＭＳ配信メッセージ内にカプセル化する；
前記ＳＭＳ配信メッセージのメッセージ符号化フィールドを前記ＳＭＳ配信メッセージで運ばれている前記ＣＢＳメッセージを示す値に設定する；
前記ＳＭＳ配信メッセージをＳＭＳブロードキャストメッセージ内にカプセル化する；
前記ＳＭＳブロードキャストメッセージのサービスカテゴリーパラメータを前記ＳＭＳブロードキャストメッセージで運ばれている前記ＣＢＳメッセージを示す値に設定する；
前記ＳＭＳブロードキャストメッセージを、データバーストメッセージ内にカプセル化する；および、
前記データバーストメッセージの指定されたフィールドまたはサブフィールドを、前記データバーストメッセージで運ばれている前記ＣＢＳメッセージを示す値に設定する。
【請求項１５】
下記を具備する、ＣＤＭＡ通信システムにおいて、ＣＢＳメッセージを受信するように機能的に作用する端末：
データサンプルを処理し、第１メッセージを供給するように機能的に作用する復調器／復号器、前記第１メッセージはカプセル化されたブロードキャストＳＭＳメッセージを有し、前記ブロードキャストＳＭＳメッセージはカプセル化されたＣＢＳメッセージを有する；および
前記第１メッセージの指定されたフィールドまたはサブフィールドを処理し、前記ブロードキャストＳＭＳメッセージがカプセル化された前記ＣＢＳメッセージを有するものであるかまたはＣＤＭＡブロードキャストＳＭＳメッセージであるかどうか決定し、前記ＣＢＳメッセージが前記第１メッセージ内にカプセル化されているなら前記第１メッセージから前記ＣＢＳメッセージを回復するように機能的に作用するメッセージプロセッサ。
【請求項１６】
下記を具備する、ＣＤＭＡ通信システムからＣＢＳメッセージを受信するように機能的に作用する装置：
第１のメッセージを受信する手段、前記第１のメッセージはカプセル化されたブロードキャストＳＭＳメッセージを有し、前記ブロードキャストＳＭＳメッセージはカプセル化されたＣＢＳメッセージを有する；
前記第１のメッセージの指定されたフィールドまたはサブフィールドを処理し、前記ブロードキャストＳＭＳメッセージがカプセル化された前記ＣＢＳメッセージを有するものであるかまたはＣＤＭＡブロードキャストＳＭＳメッセージかどうか決定する手段；および
前記ＣＢＳメッセージが前記第１メッセージ内にカプセル化されているなら、前記第１メッセージから前記ＣＢＳメッセージを回復する手段。
【請求項１７】
下記を具備する、ＣＤＭＡ通信システムにおいて送信するためにＣＢＳメッセージを処理するように機能的に作用するネットワークエンティティ：
ＣＢＳメッセージのためのデータを受信するように機能的に作用するバッファ；
前記ＣＢＳメッセージをＳＭＳ配信メッセージ内にカプセル化し、さらに前記ＳＭＳ配信メッセージをＳＭＳブロードキャストメッセージ内にカプセル化する手段、ここで、前記ＳＭＳ配信メッセージのメッセージ符号化フィールドおよび前記ＳＭＳブロードキャストメッセージのサービスカテゴリーパラメータは、前記ＳＭＳ配信メッセージおよび前記ＳＭＳブロードキャストメッセージで運ばれている前記ＣＢＳメッセージを示す値に設定される；および、
前記ＳＭＳブロードキャストメッセージを、データバーストメッセージ内にカプセル化する手段、ここで、前記データバーストメッセージの指定されたフィールドまたはサブフィールドは、前記データバーストメッセージで運ばれている前記ＣＢＳメッセージを示す値に設定される。
【発明の詳細な説明】
【技術分野】
【０００１】
この発明は一般に、データ通信に関し、特に、ＣＤＭＡ通信システムにおいてＧＳＭセルブロードキャストＳＭＳメッセージを送信するための技術に関する。
【背景技術】
【０００２】
ショートメッセージサービス（ＳＭＳ）は、端末（例えば、セル方式の携帯無線電話)と無線通信システムとの間のＳＭＳまたはショートメッセージの交換をサポートするサービスである。これらのショートメッセージは、特定の端末を対象としたポイントツーポイントメッセージまたは複数の端末を対象としたブロードキャストメッセージであるかもしれない。
【０００３】
ＳＭＳは様々なタイプの無線通信システムによって実施されるかもしれない。それらのうちの２つは、符号分割多元接続（ＣＤＭＡ）システムおよび時分割多元接続（ＴＤＭＡ）システムである。ＣＤＭＡシステムは、ＩＳ−２０００、Ｗ−ＣＤＭＡ、ＩＳ−９５などのような１つ以上の規格を実施するために設計されてもよい。ＴＤＭＡシステムも、モバイル通信のためのグローバルシステム（ＧＳＭ）のような１つ以上の規格を実施するために設計してもよい。ＩＳ−２０００を実施するＣＤＭＡシステムはしばしばｃｄｍａ２０００システムと呼ばれる。
【０００４】
ネットワークは、典型的にはシステムの配備を指す。ＣＤＭＡネットワークはＣＤＭＡ無線インターフェース（例えば、ＩＳ−２０００、Ｗ−ＣＤＭＡあるいはＩＳ−９５）を利用し、ＧＳＭネットワークはＧＳＭ無線インターフェースを利用する。ネットワークは、さらにローミングと高度なサービスを可能にする特定のモバイルネットワークプロトコルを実施する。ＡＮＳＩ−４１は、一般的に（Ｗ−ＣＤＭＡを除く)ＣＤＭＡネットワークに使用され、ＧＳＭモバイルアプリケーションパート(ＧＳＭ−ＭＡＰ）はＧＳＭとＷ−ＣＤＭＡネットワークに使用される。ＧＳＭ１ｘネットワークはＣＤＭＡ無線インターフェースを利用しＧＳＭ−ＭＡＰを実施し、そして、ＣＤＭＡネットワークとＧＳＭ−ＭＡＰネットワークの両方と見なしてもよい。
【０００５】
ＳＭＳはネットワーク技術に依存し、２つのＳＭＳ実施はＡＮＳＩ−４１およびＧＳＭ−ＭＡＰのために定義された。各ＳＭＳ実施は、異なる能力を持っており、ＳＭＳメッセージを送るための異なるメッセージタイプおよびフォーマットを利用する。通信ネットワークは、基礎をなすネットワーク技術に依存して、通常２つのＳＭＳ実施のいずれかをサポートする。ＡＮＳＩ−４１ネットワークのためのＳＭＳ実施は、「広帯域スペクトル拡散システムのためのショートメッセージサービス」(Short Message Service for Wideband Spread Spectrum Systems)というタイトルのＴＩＡ／ＥＩＡ−６３７−Ｂに記載されている。ＧＳＭ−ＭＡＰネットワークのためのＳＭＳ実施は、文献３ＧＰＰ  ＴＳ  ２３．０３８およびＴＳ  ２３．０４０に記載されている。端末のためのＧＳＭポイントツーポイント(ＰＰ）手続きは、ＧＳＭ  ０３．４０および０４．１１に記載されており、端末のためのＧＳＭ  セルブロードキャストＳＭＳ手続きは、ＧＳＭ０３．４１および０４．１２に記載されている。これらの文献は公的に入手可能であり、参照することによりここに組み込まれる。簡単にするために、ＧＳＭ−ＭＡＰのためのＳＭＳ実施は、ＧＳＭ  ＳＭＳと呼ばれ、ＡＮＳＩ−４１のためのＳＭＳ実施はＣＤＭＡ  ＳＭＳと呼ばれる。
【０００６】
ＣＤＭＡとＧＳＭは設計において全く異なるが、相互作用と相互運用性の機能（ＩＩＦ）はこれらの異なる２つのタイプのネットワーク間の通信を考慮に入れるために定義された。
【０００７】
結果はネットワークのユーザーのために改善された受信地域および性能を実現するかもしれないということである。ＩＩＦを介して、ＧＳＭモバイルユーザは、ＣＤＭＡネットワークのサービスエリアにローミングしてもよく、サービスを受信し続けることができ、その逆もまた同様である。
【０００８】
ＧＳＭ−ＭＡＰネットワークは、セルブロードキャストＳＭＳ（ＣＢＳ）サービスを提供するように設計されるかもしれない。このサービスは、指定された地理的領域内の端末にＧＳＭ  ＣＢＳメッセージを周期的にブロードキャストする。ＧＳＭ  ＣＢＳのメッセージは、道路交通情報、気象通報などのような様々なタイプの情報を運ぶことができる。
【０００９】
各ＧＳＭ  ＣＢＳのメッセージは、１つ以上のＣＢＳページを含み、各ＣＢＳページは、メッセージの種々の属性のための種々のフィールドを含む。これらのフィールドはメッセージをフィルターするために使用されてもよい、その結果ユーザーは所望のメッセージのみを選択的に受信することができ、望まないメッセージを除去することができる。
【００１０】
ＧＳＭ−ＭＡＰネットワークと相互作用するＧＳＭ１ｘネットワークおよびＣＤＭＡ  ＡＮＳＩ−４１ネットワークの場合、ＧＳＭ  ＣＢＳメッセージを、ＣＤＭＡ無線インターフェース上の端末に送信することが望ましい。従って、これは、端末がＣＢＳサービスを受信可能にするであろう。しかしながら、ＣＤＭＡ  ＳＭＳおよびＧＳＭ  ＳＭＳのための実施が異なるので、ＧＳＭ  ＣＢＳメッセージと、ＣＤＭＡ  ＳＭＳ内のブロードキャストメッセージは異なるフォーマットを有する。
【００１１】
従って、ＣＤＭＡ通信システムにおいて、ＧＳＭ  ＣＢＳメッセージを送信するための技術的必要性がある。
【発明の概要】
【００１２】
ＣＤＭＡ無線インターフェース上にＧＳＭ  ＣＢＳメッセージを送信するための技術がここに提供される。
【００１３】
これらの技術は、ＣＤＭＡ、ＧＳＭ１ｘおよび多重モード端末がＧＳＭ−ＭＡＰネットワークによって提供されたＣＢＳのサービスを受信可能にし、ＧＳＭ  ＣＢＳのメッセージを識別し、フィルターすることを可能にする。
【００１４】
ＣＤＭＡメッセージ内のＧＳＭ  ＣＢＳのメッセージのカプセル化はここに記述された様々なスキームを使用して達成してもよい。
【００１５】
指示は多数の適切な層の各々に供給され、ＧＳＭ  ＣＢＳメッセージまたはＣＤＭＡブロードキャストＳＭＳメッセージが送信されたかどうかを端末が決定可能にする。
【００１６】
これらの指示は、（１）ＩＳ−２０００およびＩＳ−９５における層３のメッセージの１つであるデータバーストメッセージの指定されたフィールドまたはサブフィールド内の値、(２)ＣＤＭＡ  ＳＭＳ内のトランスポート層のためのメッセージの１つである、ＳＭＳブロードキャストメッセージのサービスカテゴリーパラメータ内のカテゴリーフィールドのための新しい値、および(３)ＣＤＭＡ  ＳＭＳ内のテレサービス層のためのメッセージの１つである、ＳＭＳ配信メッセージのユーザデータサブパラメータ内のＭｓｇ＿Ｅｎｃｏｄｉｎｇのための新しい値を含む。
【００１７】
この発明の種々の観点および実施の形態は以下にさらに詳細に記載される。
【発明を実施するための最良の形態】
【００１８】
本発明の特徴、性質および利点は、類似の参照文字が全体にわたって対応して特定する図面とともに以下に述べる詳細な説明からより明白になるであろう。
【００１９】
図１は、ＣＤＭＡ  ＳＭＳをサポートし、ＧＳＭ  ＣＢＳメッセージを送信することができる通信ネットワーク１００の図である。ネットワーク１００はＡＮＳＩ−４１メッセージセンター１１０、ＧＳＭセルブロードキャストセンター（ＣＢＣ）１１２、モバイル交換局（ＭＳＣ）１１４および基地局１１６を含む。これらのネットワークエンティティは集団的に多くの端末１４０にサービスする。ＡＮＳＩ−４１メッセージセンター、ＭＳＣおよび基地局はＣＤＭＡ  ＡＮＳＩ−４１ネットワークの一部であってもよく、また、セルブロードキャストセンターはＧＳＭ−ＭＡＰネットワークの一部であってもよい。ネットワーク１００は基地局と端末の間の通信のためにＣＤＭＡ無線インターフェース（例えば、ＩＳ−２０００、Ｗ−ＣＤＭＡあるいはＩＳ−９５）を利用し、従って、ＣＤＭＡネットワークと呼んでもよい。
【００２０】
メッセージセンター１１０およびセルブロードキャストセンター１１２は、それぞれＡＮＳＩ−４１ネットワークおよびＧＳＭ−ＭＡＰネットワーク内の端末のためのＳＭＳメッセージを記憶し、中継し、送ることに関与する。ＭＳＣ１１４は、サービスエリア内の端末のための切り替え機能（すなわち、メッセージおよびデータのルーティング)を実行する。ＭＳＣ  １１４は多数の基地局と接続し、これらの基地局の受信地域下にある端末のための通信を制御する。図１に示される例において、メッセージセンター１１０は、ＭＳＣ１１４と通信しＣＤＭＡ  ＳＭＳをサポートし、セルブロードキャストセンター１１２もＭＳＣ１１４と通信し、ＧＳＭ  ＳＭＳをサポートする。一般に、メッセージセンター１１０は、ＭＳＣと別個に実施してもよいし、ＭＳＣと一体化されていてもよい。簡単にするために、セルブロードキャストセンター１１２は、図１に示されていない他のネットワークエンティティを介してＭＳＣ１１４と通信してもよい。ネットワーク１００はさらに複数のメッセージセンター、セルブロードキャストセンターおよび／またはＭＳＣｓを含んでいてもよい。
【００２１】
基地局１１６は端末１４０と通信するために使用される固定局である。各基地局はサービスエリア下にある端末と通信し、ＳＭＳをサポートし、他のサービス（例えば、音声、パケットデータ等）を提供する。端末がアクティブか否かおよびソフトハンドオフがサポートされているか否かに応じて、いつなんどきでも各端末は１つ以上の基地局と通信してもよい。端末は、また、移動局、遠隔局、モバイル機器(ＭＥ）、ユーザ機器(ＵＥ）、セル方式携帯無線電話、ハンドセット、またその他の用語で呼ばれる。
【００２２】
上述するように、ＳＭＳはネットワーク技術に依存し、２つのＳＭＳ実施がＡＮＳＩ−４１およびＧＳＭ−ＭＡＰのために定義された。各ＳＭＳ実施は異なる能力を有し、ＳＭＳメッセージを送信するために異なるメッセージタイプおよびフォーマットを利用する。
【００２３】
図２Ａは、ＣＢＳサービスのために、ＧＳＭ  ＳＭＳによって使用されるＧＳＭ  ＣＢＳメッセージのフォーマットを示す。ネットワーク側においては、ＣＢＳメッセージは、１５  ＣＢＳページまで含んでもよく、各ＣＢＳページは８８オクテットの固定ブロックを含む。従って、セルブロードキャストセンターは、長い複数ページＣＢＳメッセージに対して１５ＣＢＳメッセージまで発生することができる。各ＣＢＳページは、無線でＧＳＭ  ＣＢＳメッセージとして送信される。簡単にするために、以下の記載は１ＣＢＳページのみを含む、無線ＧＳＭ  ＣＢＳメッセージに言及する。ＧＳＭ  ＣＢＳのメッセージは図２Ａに示され表１に記載される５つのパラメータを含む。
【表１】
0004490279.tif 000002
【００２４】
ＧＳＭ  ＣＢＳメッセージは、またヘッダー部分およびデータ部分を含むものとして見てもよい。ヘッダー部分はシリアル番号、メッセージ識別子、ＤＣＳおよびページパラメータフィールドを含むだろう。データ部分はコンテンツフィールドを含むだろう。
【００２５】
ＧＳＭ  ＣＢＳメッセージフォーマットは、ドキュメントＥＴＳＩ  ＴＳ  １２３  ０４１にさらに詳細に記載される。このドキュメントは公的に入手可能であり、参照することによりここに組み込まれる。
【００２６】
図２Ｂは、ＣＤＭＡシステムにブロードキャストＳＭＳメッセージを送信するために使用される種々のメッセージのフォーマットを示す。ＣＤＭＡ  ＳＭＳの場合、プロトコルスタックは４層を含んでいる。すなわち、ＳＭＳ  テレサービス層は、アプリケーションレベルデータフォーマットおよび手続きを供給する。ＳＭＳトランスポート層は、ＳＭＳメッセージのエンドツーエンド配信を管理する。ＳＭＳ中継層は、トランスポート層とリンク層との間のインターフェースを提供する。リンク層は、メッセージ送信を実行する。
【００２７】
ＣＤＭＡ  ＳＭＳの場合、メッセージセンターにより端末にブロードキャストされるデータは最初にＳＭＳ配信メッセージ内にカプセル化される。このメッセージは、テレサービス層におけるメッセージである。ＳＭＳ  配信メッセージは、メッセージの属性を記載する種々のフィールドを含み、さらにＳＭＳブロードキャストメッセージ内にカプセル化される。このメッセージはトランスポート層におけるメッセージである。ＳＭＳ  ブロードキャストメッセージは、トランスポート関連機能に使用する種々のフィールドを含み、さらにデータバーストメッセージ内にカプセル化される。このメッセージは、ＩＳ−２０００およびＩＳ−９５のためのレイヤ３におけるメッセージである。このデータバーストメッセージはさらに処理され、最終的に端末に送信される。
【００２８】
ＳＭＳ配信メッセージは、メッセージのための種々のタイプの情報を伝えるために使用される多数のサブパラメータを含む。表２は、ブロードキャストデータを送信するために使用されるときＳＭＳ配信メッセージのサブパラメータをリストアップする。
【表２】
0004490279.tif 000003
【００２９】
ＳＭＳ  配信メッセージは、また、メッセージのための他の情報を伝えるのに使用される他のサブパラメータを含む。
【００３０】
表３はＳＭＳ配信メッセージのユーザデータサブパラメータにおける種々のフィールドをリストアップする。
【表３】
0004490279.tif 000004
【００３１】
ブロードキャストデータは、ユーザデータサブパラメータのＣＨＡＲｉフィールドで運ばれる。
【００３２】
ＳＭＳ  ブロードキャストメッセージは、メッセージのための種々のタイプの情報を伝えるために使用される多数のパラメータ数を含む。表４は、ＳＭＳ  ブロードキャストメッセージのパラメータをリストアップする。
【表４】
0004490279.tif 000005
【００３３】
サービスカテゴリーパラメータは多数のフィールドを含む。それらの１つはカテゴリーフィールドである。このカテゴリーフィールドは、ブロードキャストＳＭＳメッセージに関連する特定のサービスカテゴリーを示す１６ビットの値を含む。運び手データパラメータはまた、ＳＭＳ配信メッセージを運ぶために使用してもよい、サブパラメータレコードを含む多数のフィールドを含む。
【００３４】
各ＳＭＳ  ブロードキャストメッセージは、メッセージの種々の属性のためのフィールドを含むＢＣ＿ＡＤＤＲに関連する。表５は、ＢＣＡＤＤＲのフィールドをリストアップする。
【表５】
0004490279.tif 000006
【００３５】
データバーストメッセージは種々のアプリケーションおよびサービスに対してデータを送信するのに使用してもよい。表６は、ブロードキャストＳＭＳに関係のあるデータバーストメッセージのフィールドのいくつかをリストアップする。
【表６】
0004490279.tif 000007
【００３６】
データバーストメッセージは、簡単のために表６にはリストアップされないまたは図２Ｂには示されないメッセージのための他の情報を運ぶのに使用される他のフィールドを含む。ＳＭＳブロードキャストメッセージは、図２Ｂに示すように、データバーストメッセージのＣＨＡＲｉフィールドで運んでもよい。ＳＭＳ  ブロードキャストメッセージのためのＢＣ＿ＡＤＤＲは、データバーストメッセージのアドレスフィールドで運ばれる。
【００３７】
ＳＭＳ配信メッセージ、ＳＭＳブロードキャストメッセージ、およびＢＣ＿ＡＤＤＲは、上述のＴＩＡ／ＥＩＡ−６３７−Ｂにさらに詳細に記載されている。ＩＳ−９５のためのデータバーストメッセージは、公的に入手可能であり、参照することによりここに組み込まれる、「広帯域スペクトル拡散セルラシステムのためのＴＩＡ／ＥＩＡ／ＩＳ−９５−Ｂ移動局−基地局互換性規格」(TIA/EIA/IS-95-B Mobile Station-Base Station Compatibility Standard fro Wideband Spread Spectrum Cellular Systems)というタイトルの文献に記載されている。
【００３８】
上述するように、ＧＳＭ１ｘネットワーク、およびＧＳＭ−ＭＡＰネットワークと相互に作用するＣＤＭＡ  ＡＮＳＩ−４１ネットワークの場合、ＣＤＭＡ無線インターフェース上の端末にＧＳＭ  ＣＢＳメッセージを送信することが望ましい。しかしながら、図２Ａおよび２Ｂで示されるように、ＣＤＭＡネットワークにおいて、ＧＳＭ  ＣＢＳメッセージのフォーマットは、ブロードキャストＳＭＳのために使用されるメッセージのフォーマットとは異なる。
【００３９】
ＣＤＭＡ無線インターフェース上にＧＳＭ  ＣＢＳメッセージを送信するための技術がここに提供される。これらの技術は、ＣＤＭＡ、ＧＳＭ１ｘおよび多重モード端末（これらは集合的にＣＤＭＡ端末と呼ばれる）がＧＳＭ−ＭＡＰネットワークによって提供されるＣＢＳサービスを受信可能にする。これらの技術は、さらにＣＤＭＡ端末がＧＳＭ  ＣＢＳのメッセージを識別し、フィルターすることを可能にする。ＧＳＭ  ＣＢＳメッセージのオリジナルのコンテンツは、ここに記載される技術を用いて端末に配信することができる。
【００４０】
図２Ａおよび２Ｂで示されるように、ＣＤＭＡ  ＳＭＳメッセージ用のＢＣ＿ＡＤＤＲの長さは５バイトであり、ＧＳＭ  ＣＢＳメッセージのヘッダー部は６バイトの長さを有する。これら２種類のアドレスは、ＧＳＭ  ＣＢＳメッセージとＣＤＭＡブロードキャストＳＭＳメッセージとを区別するために端末により使用することができるような方法で調整することができる。ＣＤＭＡメッセージ内のＧＳＭ  ＣＢＳメッセージのカプセル化は様々なスキームを使用して、達成してもよい。多数のスキームは以下に記載される。
【００４１】
図３は、ＣＤＭＡ無線インターフェース上に送信するためにＧＳＭ  ＣＢＳのメッセージをカプセル化するための第１のスキームを示す。このスキームは、ＣＤＭＡブロードキャストＳＭＳとＧＳＭ  ＣＢＳとを区別するためにデータバーストメッセージ内のアドレスフィールドの長さを使用する。アドレスフィールドの長さは可変であり、Ｎaddrバイトを含む。この場合、Ｎaddrはアドレス長フィールド内の値である。このスキームの場合、アドレス長フィールドは、ＣＤＭＡブロードキャストＳＭＳメッセージの場合「５」に設定することができ、ＧＳＭ  ＣＢＳメッセージの場合「６」に設定することができる。
【００４２】
第１スキームの場合、ＧＳＭ  ＣＢＳのメッセージは以下を実行することによりデータバーストメッセージにより運ぶことができる。
【００４３】
・ＧＳＭ  ＣＢＳメッセージの全体で６バイトのヘッダー部をデータバーストメッセージのアドレスフィールド内に含める。
【００４４】
・データバーストメッセージのアドレス長フィールドを「６」に設定する。
【００４５】
・ＧＳＭ  ＣＢＳメッセージ全体をＳＭＳ配信メッセージのユーザサブパラメータ内のＣＨＡＲｉフィールドに含める。
【００４６】
・ユーザデータサブパラメータ内のＭｓｇ＿Ｅｎｃｏｄｉｎｇフィールドを「ＧＳＭ  ＣＢＳ符号化」のための値に設定する。
【００４７】
ＳＭＳ  ブロードキャストメッセージのサービスカテゴリーパラメータ内のカテゴリーフィールドを「ＧＳＭ  ＣＢＳ」のための値に設定する。
【００４８】
［１０４２］  カテゴリーフィールドは、ＳＭＳ  ブロードキャストメッセージに関連した特定のサービスカテゴリーを示す１６ビットの値を含んでいる。多くの標準および所有権を主張できるサービスカテゴリーは、公的に入手可能であり、参照することによりここに組み込まれる、「ｃｄｍａ２０００スペクトル拡散規格のためのパラメータ値割り当ての管理」(Administration of Parameter Value Assignments for cdma2000 Spread Spectrum Standards)というタイトルのＴＩＡ／ＥＩＡ−６３７−Ｂにより現在定義され、ＴＳＢ−５８−Ｅにより与えられる。標準および所有権を主張できるサービスカテゴリーは、それぞれ「Ｏｘ００００」乃至「Ｏｘ００１Ｆ」および「０ｘ８００１」乃至「０ｘＦＦＦＦ」のカテゴリー値が割り当てられ、この場合「０ｘ」は１６進数を示す。新しいカテゴリー値は「ＧＳＭ  ＣＢＳ」のために定義してもよく、現在定義されているサービスカテゴリーにすでに割り当てられていない任意の値（例えば、「０ｘ００２０」)に設定してもよい。この新しいカテゴリー値を用いて、ＧＳＭ  ＣＢＳメッセージがＳＭＳブロードキャストメッセージにより運ばれていることを示してもよい。
【００４９】
Ｍｓｇ＿Ｅｎｃｏｄｉｎｇ（またはメッセージ符号化）フィールドは、ＳＭＳ配信メッセージのユーザデータサブパラメータ内のＣＨＡＲｉフィールドで送信されたデータに使用される特定のコーディングスキームを示す５ビットの値を含む。ＴＳＢ−５８−Ｅで与えられるように、多数の符号化タイプは現在定義され、「０００００」乃至「０１００１」の値が割り当てられている。新しいＭｓｇ＿Ｅｎｃｏｄｉｎｇ値（例えば、「０１０１０」）は「ＧＳＭ  ＣＢＳ  符号化」のために定義してもよく、ＧＳＭ  ＣＢＳのメッセージがＳＭＳ配信メッセージで運ばれていることを示すために使用されてもよい。
【００５０】
図３に示すように、ＧＳＭ  ＣＢＳのメッセージは、ＣＤＭＡ無線インターフェースを介してＣＤＭＡ端末に送信するためにＣＤＭＡメッセージ内にカプセル化することができる。ＧＳＭ  ＣＢＳメッセージまたはＣＤＭＡブロードキャストＳＭＳメッセージが送信されたかどうかを端末が決定することができるための指示が各層に供給される。これらの指示は、データバーストメッセージ内のアドレス長フィールド、ＳＭＳブロードキャストメッセージのサービスカテゴリーパラメータ内のカテゴリーフィールド、およびＳＭＳ配信メッセージのユーザデータサブパラメータ内のＭｓｇ符号化フィールドのための３つの新しい値を含む。
【００５１】
図４は、ＣＤＭＡ無線インターフェースを介して送信するためにＧＳＭ  ＣＢＳメッセージをカプセル化するための第２のスキームを示す。このスキームは、ＣＤＭＡブロードキャストＳＭＳとＧＳＭ  ＣＢＳとを区別するためにデータバーストメッセージのアドレスフィールド内のサブフィールドを使用する。このスキームの場合、アドレスフィールドは２つのサブフィールドを含むように定義してもよい。すなわち、ブロードキャストタイプサブフィールドとＢＣアドレスフィールドである。ブロードキャストタイプサブフィールドは、送信されているブロードキャストのタイプを示すために使用してもよい。そして例えば、ＣＤＭＡブロードキャストＳＭＳの場合には、「０ｘ００」の値を用いて、ＧＳＭ  ＣＢＳの場合には、「０ｘ０１」の値を用いて定義してもよい。ＢＣ  アドレスサブフィールドは長さが可変であり、ブロードキャストサブフィールドにおける値に応じて、ＣＤＭＡブロードキャストＳＭＳの場合５バイトのＢＣＡＤＤＲをまたはＧＳＭ  ＣＢＳの場合、ＧＳＭ  ＣＢＳメッセージの６バイトのヘッダー部を運ぶことができる。
【００５２】
第１スキームに類似して、ＳＭＳ配信メッセージのユーザデータサブパラメータ内のＭｓｇ＿Ｅｎｃｏｄｉｎｇフィールドは、「ＧＳＭ  ＣＢＳ符号化」のための値に設定してもよく、ＳＭＳブロードキャストメッセージのサービスカテゴリーパラメータ内のカテゴリーフィールドは、「ＧＳＭ  ＣＢＳ」のための値に設定してもよい。
【００５３】
図５は、ＣＤＭＡ無線インターフェース上に送信するためにＧＳＭ  ＣＢＳメッセージをカプセル化するための第３のスキームを示す。このスキームは、ＣＤＭＡブロードキャストＳＭＳとＧＳＭ  ＣＢＳとを区別するためにデータバーストメッセージ内のバーストタイプフィールドのための新しい値を使用する。バーストタイプフィールドは、データバーストメッセージに関連するアプリケーションを示す６ビットの値を含む。多数のバーストタイプは現在ＩＳ−９５により定義され、上述したＩＳ−９５文献において与えられる。
【００５４】
新しいバーストタイプ値は、「ＧＳＭ  ＣＢＳバーストタイプ」のために定義してもよく、現在定義されたバーストタイプにすでに割り当てられなかった任意の値（例えば、「００１０００」)に設定してもよい。この新しいバーストタイプ値を用いて、ＧＳＭ  ＣＢＳメッセージがデータバーストメッセージで運ばれていることを示してもよい。
【００５５】
図５で示すように、第３のスキームの場合、ＧＳＭ  ＣＢＳメッセージの６バイトのヘッダー部全体は、データバーストメッセージのアドレスフィールドで運ぶことができ、ＧＳＭ  ＣＢＳメッセージ全体はＳＭＳメッセージのユーザデータサブパラメータ内のＣＧＡＲｉフィールドで運ぶことができる。この場合も先と同様に、ユーザデータサブパラメータ内のＭｓｇ＿Ｅｎｃｏｄｉｎｇフィールドは「ＧＳＭ  ＣＢＳ符号化」のための値に設定してもよく、ＳＭＳブロードキャストメッセージのサービスカテゴリーパラメータ内のカテゴリーフィールドは、「ＧＳＭ  ＣＢＳ」のための値に設定してもよい。
【００５６】
図６は、ＣＤＭＡ無線インターフェース上に送信するためにＧＳＭ  ＣＢＳメッセージをカプセル化するための第４のスキームを示す。このスキームは、ＣＤＭＡブロードキャストＳＭＳと、ＧＳＭ  ＣＢＳとを区別するためにＢＣＡＤＤＲの言語フィールド内の値を使用する。このスキームの場合、ＧＳＭ  ＣＢＳメッセージの部分的な５バイトのヘッダー部分は、ＢＣ＿ＡＤＤＲにマッピングされる。図６に示される実施形態の場合、以下のマッピングが行われる。
【００５７】
・ＧＳＭ  ＣＢＳのメッセージのシリアルナンバーパラメーターは、ＢＣ＿ＡＤＤＲの結合した優先度、メッセージＩＤおよびゾーンＩＤフィールドにマッピングされる。
【００５８】
・ＧＳＭ  ＣＢＳメッセージのメッセージ識別子パラメーターはＢＣ＿ＡＤＤＲのサービスフィールドにマッピングされる。および
・ＧＳＭ  ＣＢＳのメッセージのページパラメータはＢＣ＿ＡＤＤＲの言語フィールドに写像される。
【００５９】
ＧＳＭ  ＣＢＳメッセージのＤＣＳフィールドはＢＣ＿ＡＤＤＲで運ばれない。
【００６０】
ＢＣ＿ＡＤＤＲの言語フィールドは、データバーストメッセージで送られたＣＤＭＡブロードキャストＳＭＳメッセージに使用された言語を示す８ビットの値を含んでいる。
【００６１】
言語のセットは、ＴＳＢ−５８−Ｅで与えられるように、現在「００００００００」乃至「０００００１１１」の値が定義され、割り当てられている。言語フィールド用の残りの値は現在利用可能である（すなわち、まだ割り当てられていない)
ＧＳＭ  ＣＢＳメッセージのページパラメータフィールドは、ともに連結した２つの４ビットのサブフィールドを含んでいる。より少ない重要度の（または下位）４ビットサブフィールドは所定のＣＢＳメッセージ内のＣＢＳページの合計数を示す値を含む。より重要な（または上位）４ビットサブフィールドはメッセージ内の特定ページを示す値を含んでいる。１５ＣＢＳページまでをＧＳＭ  ＣＢＳメッセージに含ませてもよく、ページの正確な数は下位４ビットのサブフィールドの値によって示される。上位４ビットのサブフィールドの値は１から下位４ビットのサブフィールドの値まで及ぶ。ページパラメータフィールドは、前述のＥＴＳＩ  ＴＳ  １２３  ０４１にさらに詳細に記載されている。
【００６２】
第４のスキームの場合、言語フィールドの最上位ビット(ＭＳＢ）は、ＣＤＭＡブロードキャストＳＭＳとＧＳＭ  ＣＢＳとを区別するために使用される。言語フィールドのための「０ｘ７Ｆ」またはそれより少ない値は、データバーストメッセージがＣＤＭＡブロードキャストＳＭＳメッセージを運ぶことを示し、「０ｘ８０」またはそれより大きな値は、ＧＳＭ  ＣＢＳメッセージが運ばれることを示す。このスキームの場合、言語フィールドのための値は、「０ｘ７Ｆ」に限定され、ＣＢＳメッセージ内のＣＢＳページの数は、（現在定義されている１５またはそれより少ない値の代わりに)７またはそれより少ない数に制限される。次に、下位４ビットのサブフィールドは１と７の間の任意の値を取ることができ、上位４ビットサブフィールドも１と７の間の任意の値を取ることができる。下位４ビットサブフィールドのＭＳＢは、ゼロに設定することができ、上位４ビットサブフィールドのＭＳＢは１に設定することができる。従って、ページパラメータは以下のフォーマットを持つであろう。「１ｎｎｎ０ｓｓｓ」この場合ｎｎｎは、上記４ビットサブフィールドのための３ビット値を表し、ｓｓｓは下位４ビット値のための３ビット値を表す。
【００６３】
図６に示すように、第４のスキームの場合、ＧＳＭ  ＣＢＳメッセージ全体は、ＳＭＳ配信メッセージのユーザデータサブパラメータ内のＣＨＡＲｉフィールドで運ぶことができる。ユーザデータサブパラメータのＭｓｇ＿Ｅｎｃｏｄｉｎｇフィールドは、「ＧＳＭ  ＣＢＳ符号化」のための値に設定してもよい。およびＳＭＳブロードキャストメッセージのサービスカテゴリーパラメータ内のカテゴリーフィールドは、「ＧＳＭ  ＣＢＳ」のための値に設定してもよい。
【００６４】
ＣＤＭＡ無線インターフェース上にＧＳＭ  ＣＢＳメッセージを送信するための第５のスキームにおいて、ネットワークは、変換のすべてを実行し、ＣＤＭＡ無線インターフェースをトランスペアレントにする。次に、端末は、同じ変換アルゴリズム（すなわち、ネットワークが使用する)を用いて、ブロードキャストサービスに逆の変換を実行する。例えば、ＧＳＭ  天気予報サービスはＣＤＭＡ  天気予報サービスマッピングすることができる。従って、ＧＳＭ１ｘ端末は、ユーザに対して従来のＧＳＭ端末のように行動することができる。ユーザはＧＳＭ  ＣＢＳメッセージを受け取ることができ、ＳＩＭカードはＧＳＭ  ＣＢＳのフォーマットでそれらを記憶することができる。
【００６５】
図７Ａは、ＣＤＭＡ  ＡＮＳＩ−４１ネットワークにおいて、ＧＳＭ−ＭＡＰネットワークから端末へＧＳＭ  ＣＢＳメッセージを送信するための信号フローを図解する。最初に、セルブロードキャストセンターは、フォワードショートメッセージを使用して、ＩＩＦにＧＳＭ  ＣＢＳメッセージを送る（トランザクションａ）。ＩＩＦは、外国のネットワーク信号プロトコル（すなわち、セルブロードキャストセンターと関係ない)を使用するＭＳＣにセルブロードキャストセンターのためのインターフェースを提供する。ＩＩＦによって提供される機能性は、公的に入手可能であり、参照することによりここに組み込まれる「ＧＳＭマップとＴＩＡ／ＥＩＡ−４１−マップ−改訂Ａ−ＧＰＲＳサポートとの間の相互作用」(Network Interworking Between GSM Map and TIA/EIA-41-Map-Revision A-GPRS Support)というタイトルのＪ−ＳＴＤ−０３８−Ａに詳細に記載されている。
【００６６】
このＧＳＭ  ＣＢＳメッセージの場合、ＩＩＦは、セルブロードキャストセンターによって、ＧＳＭ  ＭＳＣ／ＶＬＲ（訪問ロケーションレジスタ)として見られる。セルブロードキャストセンターからフォワードショートメッセージを受信すると、ＩＩＦは、ＧＳＭ  ＣＢＳメッセージを、ＳＭＳブロードキャストメッセージ内にカプセル化する（ステップｂ)。メッセージカプセル化の結果は、適切なフォーマットでのＣＤＭＡ  ＳＭＳメッセージであり、およびＧＳＭ  ＣＢＳメッセージを運んでいる。従ってこの時点で、ＩＩＦは、ＡＮＳＩ−４１メッセージ選択として動作しているであろう。次に、ＩＩＦは、ＳＭＳブロードキャストメッセージをＭＳＣに送信するためにショートメッセージポイントツーポイントメッセージを創出する(トランザクションｃ)。ＭＳＣはＩＦからメッセージを受信し、上述したメッセージカプセル化スキームのいずれかを用いて、ＳＭＳブロードキャストメッセージをＡＤＤＲ転送メッセージ（これは、その後にデータバーストメッセージを形成するために使用される)内にカプセル化する。次に、ＡＤＤＲ転送メッセージが基地局に送信される（トランザクションｄ）。基地局は、データバーストメッセージを形成し、それを端末に送信する（トランザクションｅ）。
【００６７】
図７Ｂは、ａＧＳＭ１ｘネットワークから端末へＧＳＭ  ＣＢＳのメッセージを送るための信号フローを図解する。最初に、セルブロードキャストセンターはＭＳＣにＧＳＭ  ＣＢＳメッセージを送る（トランザクションａ）。ＭＳＣは、ＧＳＭ  ＣＢＳメッセージをＳＭＳブロードキャストメッセージ内にカプセル化し（ステップｂ)、それをＡＤＤＳ転送メッセージを用いて基地局に送信する(ステップｃ)。基地局はＭＳＣからメッセージを受信し、データバーストメッセージを形成し、それを端末に送信する（トランザクションｄ)。
【００６８】
図８Ａは、ＧＳＭ  ＣＢＳメッセージをＣＤＭＡ  ＳＭＳメッセージ内にカプセル化するためのプロセス８００の一実施形態のフロー図である。プロセス８００はＩＩＦまたはＭＳＣによって実行してもよい。図３乃至図６に示すように、ＣＤＭＡネットワークにブロードキャストされるＧＳＭ  ＣＢＳメッセージは最初に受信され（ステップ８１２)、ＳＭＳ配信メッセージ内にカプセル化される（ステップ８１４）。ＳＭＳ配信メッセージのユーザデータサブパラメータ内のＭｓｇ＿Ｅｎｃｏｄｉｎｇフィールドはある値（「ＧＳＭ  ＣＢＳ  符号化」)に設定され、ＳＭＳ配信メッセージがＧＳＭ  ＣＢＳメッセージを運ぶことを示す（ステップ８１６)。さらに、図３乃至図６に示すように、ＳＭＳ配信メッセージは、さらにＳＭＳブロードキャストメッセージ内にカプセル化される。ＳＭＳブロードキャストメッセージのサービスカテゴリーパラメータ内のカテゴリーフィールドは、カプセル化されたＧＳＭ  ＣＢＳメッセージを示す値（「ＧＳＭ  ＣＢＳ」)に設定される。
【００６９】
図８Ｂは、ＳＭＳブロードキャストメッセージをデータバーストメッセージ内にカプセル化するためのプロセス８５０の一実施形態のフロー図である。プロセス８５０はＭＳＣまたは基地局によって実行してもよい。最初に、カプセル化されたＧＳＭ  ＣＢＳメッセージを備えたＳＭＳ  ブロードキャストメッセージが受信される（ステップ８５２）。次に、ＳＭＳブロードキャストメッセージは、上述したカプセル化スキームのいずれかに基づいて、データバーストメッセージ（またはＡＤＤＳ転送メッセージ)にカプセル化される（ステップ８５４)。データバーストメッセージの指定されたフィールドまたはサブフィールドは、カプセル化されたＧＳＭ  ＣＢＳメッセージを示す値に設定される（ステップ８５６)。
【００７０】
図９は、ＧＳＭ  ＣＢＳメッセージを受信するために端末により実行されるプロセス９００の一実施形態のフロー図である。プロセス９００は、端末により受信される各ブロードキャストＳＭＳメッセージのために実行されてもよい。
【００７１】
最初に、データバーストメッセージは端末により受信される（ステップ９１２）。次に、このメッセージの指定されたフィールドまたはサブフィールドが処理され、それがＧＳＭ  ＣＢＳメッセージまたはＣＤＭＡブロードキャストＳＭＳメッセージを運ぶかどうか決定する（ステップ９１４)。処理すべき特定のフィールドまたはサブフィールドは、ＧＳＭ  ＣＢＳメッセージをカプセル化するために使用される特定のスキームに依存する。例えば、上述するようにおよびそれぞれ図３乃至図６に示すように、アドレス長フィールドは第１のスキームの場合に処理され、アドレスフィールドのブロードキャストタイプサブフィールドは、第２のスキームの場合に処理され、バーストタイプフィールドは、第３のスキームの場合に処理され、アドレスフィールド内のＢＣＡＤＤＲの言語フィールドは、第４のスキームの場合に処理される。
【００７２】
次に、データバーストメッセージが、ＧＳＭ  ＣＢＳメッセージを運ぶか否かの決定が行われる（ステップ９１６）。答えがノーである場合、メッセージは廃棄される（ステップ９２０）。そうでなければ、データバーストメッセージはさらに処理され、（トランスポート層)ＳＭＳブロードキャストメッセージを回復する。ＳＭＳブロードキャストメッセージはさらに処理され（テレサービス層)ＳＭＳ配信メッセージを回復する。ＳＭＳ配信メッセージはさらに処理されＧＳＭ  ＣＢＳメッセージを回復する（ステップ９１８)。いずれの場合も、次に、プロセスはこのデータバーストメッセージに関して終了される。
【００７３】
ステップ９１８は、端末内の複数の層のための異なるエンティティにより実行してもよい。各層のためのエンティティは、受信したメッセージ内の適切なフィールドを調べ、ＧＳＭ  ＣＢＳメッセージまたはＣＤＭＡブロードキャストＳＭＳメッセージが運ばれるかどうか決定してもよい。この決定の結果は、メッセージ上で実行される処理を指示してもよい。ＳＭＳトランスポート層エンティティは、ＳＭＳ配信メッセージのユーザデータサブパラメータ内のＭｓｇ＿Ｅｎｃｏｄｉｎｇフィールドを調べてもよい。そして、ＳＭＳテレサービス層エンティティはＳＭＳブロードキャストメッセージのサービスカテゴリーパラメータ内のカテゴリーフィールドを調べてもよい。
【００７４】
図１０は、メッセージセンター／セルブロードキャストセンター１０００および端末１４０ｘの一実施形態のブロック図である。この実施形態において、メッセージセンター／セルブロードキャストセンター１０００は、ＡＮＳＩ−４１メッセージセンター、ＧＳＭセルブロードキャストセンターあるいはＭＳＣ内で実施してもよい。
【００７５】
メッセージンセンター／セルブロードキャストセンター１０００は、ＣＢＳサービスのために放送されるデータを受信する。データは、メッセージバッファー１０１２に一時的に記憶され、その後、ＣＤＭＡ無線インターフェース上に送信するのに適切なＣＤＭＡ  ＳＭＳメッセージ内にカプセル化するために、ＳＭＳメッセージプロセッサ１０１４により必要に応じて検索される。メッセージのカプセル化は上述したように実行してもよい。
【００７６】
カプセル化されたＧＳＭ  ＣＢＳメッセージを備えたＣＤＭＡ  ＳＭＳメッセージは、（図７Ａに示す構成のために、および図１０に示すように）ＭＳＣ１１４に供給されるかまたは（図７Ｂに示す構成のために)ＭＳＣにより発生される。いずれの場合も、ＭＳＣは、ＣＤＭＡ  ＳＭＳメッセージを指定された基地局１１６ｘに送る。指定された基地局は、さらに受信したメッセージを処理し、それらをそのサービスエリア内の端末に送信される変調された信号に含ませる。
【００７７】
メッセージセンター／セルブロードキャストセンター内において、コントローラ１０２０は、上述したスキームのいずれかを用いて、ＧＳＭ  ＣＢＳメッセージのカプセル化を制御する。メモリユニット１０２２は、コントローラ１０２０により使用されるプログラムコードおよびデータのための記憶装置を提供する。
【００７８】
図１０は、さらに端末１４０ｘの一実施形態を示す。基地局１１６ｘから送信された、変調された信号は、アンテナ１０５２によって受信され、受信器ユニット（ＲＣＶＲ）１０５４に供給される。受信器ユニット１０５４は受信した信号を条件づけし（例えば、フィルタリングし、増幅し、および周波数変換する)、さらに条件づけされた信号をデジタル化し、サンプルを供給する。
【００７９】
次に、復調器（Ｄｅｍｏｄ）／復号器１０５６は、ネットワーク（例えば、ＩＳ−２０００、Ｗ−ＣＤＭＡまたはＩＳ−９５)により使用される特定のＣＤＭＡ無線インターフェースにより決定される方法でサンプルを復調する。次に、復調データは復号された復号データを供給する。この復号データは、変調された信号に送信されたデータバーストメッセージを含む。ＳＭＳメッセージプロセッサ１０５８は、次に各データバーストメッセージを処理し、データバーストメッセージがＧＳＭ  ＣＢＳメッセージまたはＣＤＭＡブロードキャストＳＭＳメッセージを運ぶかどうかを決定する。ＳＭＳメッセージプロセッサ１０５８は、データバーストメッセージの指定されたフィールドまたはサブフィールドを調べてこの決定を行ってもよい。データバーストメッセージはさらに処理されて運ばれる任意のＧＳＭ  ＣＢＳメッセージを回復してもよい。
【００８０】
［１０７０］  コントローラ１０６０は、端末１４０ｘ内のユニットの動作を指図する。例えば、コントローラ１０６０は、各受信されるデータバーストメッセージに対して特定分野またはサブフィールドを調べるようにＳＭＳメッセージプロセッサ１０５８を指示してもよい。メモリユニット１０６２は、コントローラ１０６０によって使用されるプログラムコードとデータのための記憶装置を提供する。
【００８１】
図１０は、メッセージセンター／セルブロードキャストセンター１０００および端末１４０ｘの特定の実施形態を示す。他の実施形態も可能であり、この発明の範囲内である。メッセージセンター／セルブロードキャストセンター１０００については、ＳＭＳメッセージプロセッサ１０１４も、コントローラ１０２０、あるいは他のある演算処理装置内で実施してもよい。同様に、端末１４０ｘについては、ＳＭＳメッセージプロセッサ１０５８は、コントローラ１０６０、あるいは他のある演算処理装置内で実施してもよい。
【００８２】
ＣＤＭＡシステムにＧＳＭ  ＣＢＳメッセージを送信するためにここに記載される技術は、種々の手段により実施してもよい。例えば、これらの技術は、ハードウェア、ソフトウェアあるいはそれらの組合せで実施してもよい。ハードウェア実施の場合、ネットワーク側および端末において技術を実施するために使用されるエレメントは、１つ以上の特定用途向け集積回路（ＡＳＩＣｓ）、デジタルシグナルプロセッサ（ＤＳＰｓ）、デジタルシグナル処理装置（ＤＳＰＤｓ）、プログラマブル論理装置（ＰＬＤｓ）、フィールドプログラマブルゲートアレイ（ＦＰＧＡｓ）、プロセッサ、コントローラ、マイクロコントローラ、マイクロプロセッサ、ここに記載した機能を実行するように設計された他の電子装置、またはそれらの組み合わせ内で実施してもよい。
【００８３】
ソフトウエア実施の場合、ここに記載された技術は、ここに記載された機能を実行するモジュール（例えば、機能、手続き等)で実施してもよい。ソフトウェアコードは、メモリユニット（例えば、図１０のメモリユニット１０２２および１０６２)に記憶し、プロセッサ（例えば、コントローラ１０２０および１０６０)により実行してもよい。メモリユニットは、プロセッサ内部で実施してもよいし、プロセッサ外部で実施してもよい。プロセッサ外部で実施する場合、メモリユニットは、技術的に知られる種々の手段を介してプロセッサに通信可能に接続することができる。
【００８４】
開示された実施形態の上述の記載は、当業者がこの発明を製作または使用可能にするために提供される。これらの実施形態に対する種々の変更は、当業者に容易に明白であろう。そして、ここに定義される包括的原理は、この発明の精神または範囲から逸脱することなく他の実施形態に適用してもよい。したがって、この発明は、ここに示した実施形態に限定することを意図したものではなく、ここに開示した原理および新規な特徴に一致する最も広い範囲が許容されるべきである。
【図面の簡単な説明】
【００８５】
【図１】図１は、ＣＤＭＡ  ＳＭＳをサポートし、ＧＳＭ  ＣＢＳメッセージを送信することができる通信ネットワークの図である。
【図２Ａ】図２Ａは、ＣＢＳサービスのためのＧＳＭ  ＳＭＳにより使用されるＧＳＭ  ＣＢＳメッセージのフォーマットを示す。
【図２Ｂ】図２Ｂは、ＣＤＭＡシステムにおいてブロードキャストＳＭＳメッセージを送信するのに使用される種々のメッセージのフォーマットを示す。
【図３】図３は、ＣＤＭＡブロードキャストＳＭＳとＧＳＭ  ＣＢＳとを区別するために、データバーストメッセージ内のアドレスフィールドの長さを用いてＣＤＭＡ無線インターフェース上の送信のためのＧＳＭ  ＣＢＳメッセージをカプセル化するための技術を示す。
【図４】図４は、ＣＤＭＡブロードキャストＳＭＳとＧＳＭ  ＣＢＳとを区別するために、アドレスフィールドのサブフィールドを用いてＣＤＭＡ無線インターフェース上の送信のためのＧＳＭ  ＣＢＳメッセージをカプセル化するための技術を示す。
【図５】図５は、ＣＤＭＡブロードキャストＳＭＳとＧＳＭ  ＣＢＳとを区別するために、データバーストメッセージ内のバーストタイプフィールドのための新しい値を用いてＣＤＭＡ無線インターフェース上の送信のためのＧＳＭ  ＣＢＳメッセージをカプセル化するための技術を示す。
【図６】図６は、ＣＤＭＡブロードキャストＳＭＳとＧＳＭ  ＣＢＳとを区別するために、ＢＣ＿ＡＤＤＲのための言語フィールのための値を用いてＣＤＭＡ無線インターフェース上の送信のためのＧＳＭ  ＣＢＳメッセージをカプセル化するための技術を示す。
【図７Ａ】図７Ａは、ＧＳＭ−ＭＡＰ／ＣＤＭＡ  ＡＮＳＩ−４１ネットワークにおいて、ＧＳＭ  ＣＢＳメッセージを送信するためのシグナルフローを図解する。
【図７Ｂ】図７Ｂは、ＧＳＭ１ｘネットワークにおいて、ＧＳＭ  ＣＢＳメッセージを送信するためのシグナルフローを図解する。
【図８Ａ】図８Ａは、ＣＤＭＡ  ＳＭＳメッセージ、およびさらにデータバーストメッセージ内のＧＳＭ  ＣＢＳメッセージをカプセル化するためのプロセスを示す。
【図８Ｂ】図８Ｂは、ＣＤＭＡ  ＳＭＳメッセージ、およびさらにデータバーストメッセージ内のＧＳＭ  ＣＢＳメッセージをカプセル化するためのプロセスを示す。
【図９】図９は、ＧＳＭ  ＣＢＳメッセージを受信するプロセスを示す。
【図１０】図１０は、メッセージ／セルブロードキャストセンターと端末のブロック図である。
【図１】
0004490279.tif 000008
【図２Ａ】
0004490279.tif 000009
【図２Ｂ】
0004490279.tif 000010
【図３】
0004490279.tif 000011
【図４】
0004490279.tif 000012
【図５】
0004490279.tif 000013
【図６】
0004490279.tif 000014
【図７Ａ】
0004490279.tif 000015
【図７Ｂ】
0004490279.tif 000016
【図８Ａ】
0004490279.tif 000017
【図８Ｂ】
0004490279.tif 000018
【図９】
0004490279.tif 000019
【図１０】
0004490279.tif 000020